(57)【要約】      （修正有）【課題】羽根車の油捕集機構部とブレードの洗浄をより効果的に行い、洗浄時間の短縮および洗浄液の節水を実現したレンジフードを提供する。【解決手段】洗浄ケーシング５０に洗浄液５１を貯水して羽根車１０を洗浄するレンジフードに対して、散水ノズル５４を洗浄ケーシング５０の舌部３７から羽根車１０の回転方向側のスクロール板３４上に配置し、回転軸２１の垂直平面から見た噴射角度を羽根車１０の回転方向とは逆向きかつ、隣り合う２つのブレード間に洗浄液５１を噴射できるようできるよう設け、回転軸２１と同平面から見た噴射角度は真下方向に噴射し、リング状に積層している油捕集機能部３２間を通過するようにし、特に汚れが多く蓄積した油捕集機構部３２およびブレード内側２２を重点的に散水ノズル５４からの洗浄水５１で洗浄する。【選択図】図９
2017125622.tif 000002
【特許請求の範囲】
【請求項１】
電動機により回転する羽根車と、前記羽根車の内周側に周回させて一体に設けた油捕集機構部と前記油捕集機構部を洗浄液に浸漬させるための洗浄ケーシングと、前記洗浄ケーシングに、前記洗浄液を貯排する開閉弁とを設け、前記開閉弁を閉じて洗浄液を貯め、前記羽根車の外周に配置した散水ノズルから洗浄液を噴射して前記羽根車と油捕集機構部を洗浄するレンジフードであって、
前記羽根車は、円の外周方向から中心軸に向かうにしたがって、隆起するように傾斜した円錐面を持つ主板とこの主板から鉛直方向に立設した複数のブレードとを有し、
前記散水ノズルの位置は、前記洗浄ケーシングの吐出口近傍の舌部から前記羽根車の回転方向側にあり、
前記散水ノズルの噴射角度は、前記羽根車の外周側から回転方向とは逆向きかつ、回転軸の垂直平面から見た噴射角度を隣り合う２つの前記ブレード間に洗浄液を噴射できるようできるよう設け、前記回転軸を含む平面から見た噴射角度を隣り合う２つの前記油捕集機構部間を通り前記羽根車の内側から前記油捕集機構部と前記ブレードの内側へ噴射した洗浄液を着水できるよう設けたレンジフード。
【請求項２】
前記散水ノズルの噴射口上流に水温を上昇させるヒーターを備えた請求項１記載のレンジフード。
【請求項３】
前記散水ノズルを複数前記洗浄ケーシング上に配置の際に前記羽根車の回転軸方向で前記主板に近づくほど個数を増やすよう設けた請求項１から２記載のレンジフード。
【発明の詳細な説明】
【技術分野】
【０００１】
本発明は、レンジフードに取り付ける油捕集機構部の汚れ除去に関するものである。
【背景技術】
【０００２】
従来、この種のレンジフードは、図１４に示すように、調理器具（図示せず）の上方に、調理器具から発生する油煙や周囲に浮遊する埃等を捕集する吸込口１０１を設けたフード１０２を壁面１０３に設置し、フード１０２には、天面には屋外とダクト１０４を介して連通する排出口１０５を設け、内部には回転軸１０６を略水平にして配置した電動機１０７と、回転軸１０６に取り付けた羽根車１０８と、羽根車１０８を包括した洗浄ケーシング１０９を配設し、この羽根車１０８を介し吸込口１０１と排出口１０５を結ぶ通風路１１０を形成している。また、フード１０２の吸込口１０１近傍には平板状の整流板１１１が配設されている。
【０００３】
洗浄ケーシング１０９の下方には、洗浄液１１２を貯水する貯水装置１１３と給水ポンプ１１４を設け、洗浄ケーシング１０９には、給水ポンプ１１４から接続された散水ノズル１１５を設けている。洗浄ケーシング１０９の下端部には孔１１６を設けて、孔１１６には、洗浄ケーシング１０９内に洗浄液１１２を貯排する開閉弁１１７を設け、開閉弁１１７の下方に排水トレイ１１８を構成している。
【０００４】
図１５に示すように、遠心ファンの羽根車１０８は、主板１１９に立設した複数のブレード１２０を備え、羽根車１０８内部には、リング状の油捕集機構部１２１を、ブレード１２０から１５〔ｍｍ〕程度の距離を離して、回転軸１０６方向に間隔を空けて複数枚取り付けている。
【０００５】
以下、そのレンジフードについて図１６を参照しながら説明する。
【０００６】
洗浄時には、羽根車１０８の回転軸１０６より下方の部分が、洗浄ケーシング１０９内で貯水装置１１３から供給された洗浄液１１２に浸漬される。羽根車１０８および油捕集機構部１２１には、レンジフードの使用に伴い汚れが付着している。羽根車１０８を回転軸１０６で回転させることで、汚れが付着した部分を洗浄液１１２に浸漬させて洗浄することができる（例えば、特許文献１を参照）。
【先行技術文献】
【特許文献】
【０００７】
【特許文献１】特開２０１４−０６２７１０号公報
【発明の概要】
【発明が解決しようとする課題】
【０００８】
このような従来のレンジフードにおいて、油煙捕集に関わる羽根車の油捕集機構部およびブレードにおける洗浄力をより強化し、洗浄時間を短時間にし、かつ節水を実現する洗浄機構が求められていた。
【０００９】
本発明は、上記従来の課題を解決するものであり、散水ノズルの配置や角度により羽根車の油捕集機構部とブレードの洗浄をより効果的に行うレンジフードを提供することを目的としている。
【課題を解決するための手段】
【００１０】
本発明は、上記目的を達成するために、電動機により回転する羽根車と、前記羽根車の内周側に周回させて一体に設けた油捕集機構部と前記油捕集機構部を洗浄液に浸漬させるための洗浄ケーシングと、前記洗浄ケーシングに、前記洗浄液を貯排する開閉弁とを設け、前記開閉弁を閉じて洗浄液を貯め、前記羽根車の外周に配置した散水ノズルから洗浄液を噴射して前記羽根車と油捕集機構部を洗浄するレンジフードであって、前記羽根車は、円の外周方向から中心軸に向かうにしたがって、隆起するように傾斜した円錐面を持つ主板と主板から鉛直方向に立設した複数のブレードとを有し、前記散水ノズルの位置は、前記洗浄ケーシングの吐出口近傍の舌部から前記羽根車の回転方向側にあり、前記散水ノズルの噴射角度は、前記羽根車の外周側から回転方向とは逆向きかつ、回転軸の垂直平面から見た噴射角度を隣り合う２つの前記ブレード間に洗浄液を噴射できるようできるよう設け、前記回転軸を含む平面から見た噴射角度を隣り合う２つの前記油捕集機構部間を通り前記羽根車の内側から前記油捕集機構部と前記ブレードの内側へ噴射した洗浄液を着水できるよう設けたものであり、これにより所期の目的を達成するものである。
【発明の効果】
【００１１】
本発明によれば、電動機により回転する羽根車と、前記羽根車の内周側に周回させて一体に設けた油捕集機構部と前記油捕集機構部を洗浄液に浸漬させるための洗浄ケーシングと、前記洗浄ケーシングに、前記洗浄液を貯排する開閉弁とを設け、前記開閉弁を閉じて洗浄液を貯め、前記羽根車の外周に配置した散水ノズルから洗浄液を噴射して前記羽根車と油捕集機構部を洗浄するレンジフードであって、前記羽根車は、円の外周方向から中心軸に向かうにしたがって、隆起するように傾斜した円錐面を持つ主板とこの主板から鉛直方向に立設した複数のブレードとを有し、前記散水ノズルの位置は、前記洗浄ケーシングの吐出口近傍の舌部から前記羽根車の回転方向側にあり、前記散水ノズルの噴射角度は、前記羽根車の外周側から回転方向とは逆向きかつ、回転軸の垂直平面から見た噴射角度を隣り合う２つの前記ブレード間に洗浄液を噴射できるようできるよう設け、前記回転軸を含む平面から見た噴射角度を隣り合う２つの前記油捕集機構部間を通り前記羽根車の内側から前記油捕集機構部と前記ブレードの内側へ噴射した洗浄液を着水できるよう設けたことで、羽根車の油捕集機構部とブレードの洗浄をより効果的に行い、洗浄時間の短縮および洗浄液の節水を実現したレンジフードを提供することを目的としている。
【図面の簡単な説明】
【００１２】
【図１】本発明の実施の形態１のレンジフードを示す断面構成図
【図２】同レンジフードの羽根車の種類図
【図３】同レンジフードの羽根車の構成正面断面図
【図４】同レンジフードの羽根車の構成斜方図
【図５】同レンジフードのブレードを通る直線状流路が最大量となる角度を示す羽根車正面断面図
【図６】同レンジフードのブレードを通る直線状流路が存在しうる最小角度を示す羽根車正面断面図
【図７】同レンジフードのブレードを通る直線状流路が存在しうる最大角度を示す羽根車正面断面図
【図８】同レンジフードのケーシング構成図
【図９】同レンジフードの特徴を示す回転軸に垂直な方向から見た断面図
【図１０】同レンジフードの羽根車内に噴射した洗浄液が最も多くブレードに着水する角度を示す回転軸の垂直方向から見た断面図
【図１１】同レンジフードの散水ノズルの水平方向にとりうる角度を示す側面断面図（ノズルの位置におけるケーシングの回転軸を含まない垂直断面図、図９のＡ−Ａ’断面図）
【図１２】同レンジフードのターボファンにおける特徴を示す回転軸に垂直な方向から見た断面図
【図１３】同実施の形態２のレンジフードを示す側面断面構成図（Ａ‐Ａ’から見た図）
【図１４】従来のレンジフードを示す側面断面構成図
【図１５】同レンジフードの羽根車と油捕集機構部の構成を示す図
【図１６】同レンジフードを示す正面断面構成図
【発明を実施するための形態】
【００１３】
本発明の請求項１記載のレンジフードは、電動機により回転する羽根車と、前記羽根車の内周側に周回させて一体に設けた油捕集機構部と前記油捕集機構部を洗浄液に浸漬させるための洗浄ケーシングと、前記洗浄ケーシングに、前記洗浄液を貯排する開閉弁とを設け、前記開閉弁を閉じて洗浄液を貯め、前記羽根車の外周に配置した散水ノズルから洗浄液を噴射して前記羽根車と油捕集機構部を洗浄するレンジフードであって、前記羽根車は、円の外周方向から中心軸に向かうにしたがって、隆起するように傾斜した円錐面を持つ主板とこの主板から鉛直方向に立設した複数のブレードとを有し、前記散水ノズルの位置は、前記洗浄ケーシングの吐出口近傍の舌部から前記羽根車の回転方向側にあり、前記散水ノズルの噴射角度は、前記羽根車の外周側から回転方向とは逆向きかつ、回転軸の垂直平面から見た噴射角度を隣り合う２つの前記ブレード間に洗浄液を噴射できるようできるよう設け、前記回転軸を含む平面から見た噴射角度を隣り合う２つの前記油捕集機構部間を通り前記羽根車の内側から前記油捕集機構部と前記ブレードの内側へ噴射した洗浄液を着水できるよう設けたものである。
【００１４】
これにより洗浄液は前記散水ノズルからの噴射時の圧力を保ったまま特に汚れの蓄積した、油捕集機構部分およびブレードへ羽根車の内周側からも衝突し、汚れを剥がし落とすことができ、より効果的な洗浄で短時間の洗浄時間かつ少量の洗浄液での洗浄が可能になる効果を奏する。
【００１５】
また、請求項２に記載のレンジフードは、前記散水ノズルの噴射口上流に水温を上昇させるヒーターを備えたものである。
【００１６】
これにより噴射する洗浄液を高温水または過熱スチーム等にして噴射することができる。したがって、油の軟化を促し、洗浄効果を高める効果を奏する。
【００１７】
また、請求項３に記載のレンジフードは、前記散水ノズルを複数前記洗浄ケーシング上に配置の際に羽根車の回転軸方向で前記主板に近づくほど個数を増やすよう設けたものである。
【００１８】
これにより前記散水ノズルから洗浄液を噴霧した際、汚染面に対して前記洗浄液がより鋭角に衝突する。したがって、汚れをより汚染面から移動させる力が働き、洗浄力が強化されることで、さらに洗浄時間の短時間化および洗浄液の節水化が可能になるという効果を奏する。
【００１９】
（実施の形態１）
図１に示すように、本実施の形態１では、レンジフード１は、本体２を壁面３に設置し、排出口４にダクト５を接続して屋外と連通している。
本体２は、調理器具（図示せず）の上方で調理器具から発生する油煙や周囲に浮遊する埃等を捕集できるようにフード部６を備えた箱体であって、フード部６の下面７に吸込口８、天面９に前記排出口４を備えている。
【００２０】
本体２の内部には、羽根車１０を備えた送風機１１と羽根車１０を洗浄する洗浄装置１２を備えている。図２に示すように、羽根車１０には、シロッコファン、ターボファン、プレートファンのように、いくつかの種類があり、本発明はこのいずれにも適用可能であるが、ここではシロッコファン（遠心ファン）を用いる。すなわち、羽根車１０は、かご型円筒形状を有している。
【００２１】
送風機１１は、前記羽根車１０に加えて、この羽根車１０を回転させるモータ１３と羽根車１０を包囲するケーシング１４を備えている。
図３および図４に示すように羽根車１０は少なくとも、複数のブレード１５と環状の側板１６と円形の主板１７で構成されている。ブレード１５は、送風機１１の送風機流入口１８側に位置する前記側板１６とモータ１３側に位置する主板１７によって両端部を挟み込むようにして配置している。
【００２２】
前記ブレード１５は、複数を主板１７上の外周部で円環状に配置している。すなわち、ブレード１５は、主板１７から垂直方向に立設し、同一円周上に配置している。
【００２３】
また、ブレード１５は、羽根車１０の外周から内周へ向けた直線状の流路が所定の角度範囲でブレード１５に干渉しないように、隙間を開けて配置している。つまり、１つのブレードである第一ブレード１９は反回転方向で隣に配置した第二ブレード２０に対して回転方向側に所定の間隔を開けて配置している。
【００２４】
また、ブレード１５は、羽根車１０の内周側の辺で入口を外周側の辺で出口を形成している。ブレード１５は羽根車１０の回転軸２１に垂直な断面（回転軸を輪切りにする断面）において、前記入口と出口を結ぶ弦を引くことができるように円弧状の板である。円弧状の回転方向側の面をブレード内側２２、反回転方向側の面をブレード外側２３する。
【００２５】
図５に示すように、羽根車１０の回転軸２１に垂直な断面において、第二ブレード２０の前記入口は入口端点２４であり、前記出口は出口端点２５であって、作図上、入口端点２４と出口端点２５を結ぶ弦２６を引くことができる。この弦２６と、弦２６の羽根車１０外周での交点における接線２７とがなす回転方向側の角度をθ１とする。前記所定の直線状流路の角度がθ１をとる時、直線状の流路を通る風量が最大となる。
【００２６】
また、図６のように、第二ブレード２０の入口端点２４から第一ブレード１９の出口方向へ引いた接線２８と、接線２８と羽根車１０の外周の交点における接線２９とがなす回転方向側の角度をθ２とし、さらに図７のように、第二ブレード２０の出口端点２５から第一ブレード１９の入口方向へ引いた接線３０と、第二ブレード２０の出口端点２５における羽根車１０の外周の接線２７とがなす回転方向側の角度をθ３とすると、前記所定の角度範囲は、θ２からθ３の範囲内のものである。
【００２７】
また、主板１７は外周に対して中心部を軸方向に、かつ、側板１６側に隆起した円錐面３１を備えている。言い換えると、主板１７は、円の外周方向から中心軸である回転軸２１向うにしたがって、隆起するように傾斜した円錐面を持つものである。
【００２８】
さらに、羽根車１０内周部には、羽根車１０の内周を周回するリング状の油捕集機構部３２を、互いに一定距離を離して、複数枚取り付けている。
【００２９】
図８に示すケーシング１４には、前記送風機流入口１８と送風機吹出口３３が備えられている。
【００３０】
ケーシング１４は、スクロール板３４と、このスクロール板３４を挟むように配置したケーシング前面板３５とケーシング背面板３６と、舌部３７と、スクロール板３４の延長上に備えた延設板３８と、舌部３７の延長上に備えた延長板３９とを備えている。なお、ケーシング１４において、延設板３８と、延長板３９は必須ではない。
【００３１】
ケーシング前面板３５とケーシング背面板３６は、羽根車１０の高さ方向に対応して間隔を開けて配置した平面板である。
【００３２】
スクロール板３４は、羽根車１０の外周で、舌部３７を基点として羽根車１０の回転方向に向って風路を拡大する曲面板である。延設板３８はスクロール板３４をさらに送風機吹出口３３へ延設した平面板である。また、延長板３９は、舌部３７の反回転方向側から送風機吹出口３３へ延設した平面板である。
【００３３】
また、スクロール板３４は、ケーシング１４の側面部４０の主要部に渡り配置されている。ケーシング１４の側面において、舌部３７から羽根車１０の回転方向に約３００度の範囲を占めている。
【００３４】
送風機吹出口３３は、ケーシング１４の側面部４０において、ケーシング前面板３５とケーシング背面板３６と延設板３８、延長板３９のそれぞれ端部に囲まれて形成している。また、延設板３８、延長板３９を備えない場合には、ケーシング前面板３５とケーシング背面板３６、スクロール板３４、舌部３７のそれぞれ端部に囲まれて形成すればよい。
【００３５】
ケーシング１４は、ケーシング前面板３５の略中央部にオリフィス４１を備えている。送風機流入口１８は、オリフィス４１の内周部にある。また、図１においてケーシング背面板３６側にモータ１３を配置している。そして、モータ１３から回転軸４２を通じ羽根車１０を回転させている。
【００３６】
ケーシング１４は、本体２内部で、ケーシング前面板３５とケーシング背面板３６を立てるように配置している。すなわち、羽根車１０は、回転軸２１を横にして配置し、送風機吹出口３３を上方へ向けて配置している。
【００３７】
そして、送風機吹出口３３は、本体２の排出口４へ接続されている。送風機流入口１８は、本体２内部に開口し、吸込口８に連通している。
【００３８】
モータ１３の内部には、回転数センサー（図示せず）と電流センサー（図示せず）がついており、電動機の回転数と電流値を検知する。回転数センサーとしては、ホールＩＣが好ましく、コストが安く精度がいいからである。
【００３９】
洗浄装置１２は、図１に示すように、送風機１１のケーシング１４でもある洗浄ケーシング５０と、洗浄液５１を貯水する貯水装置５２と、給水ポンプ５３と、散水ノズル５４と排水トレイ５５を備えている。
【００４０】
貯水装置５２は、洗浄ケーシング５０の下方に設けている。
【００４１】
給水ポンプ５３は、貯水装置５２に貯水した洗浄液５１を散水ノズル５４へ送水するものであって、本体２内部に設けている。
【００４２】
散水ノズル５４は、洗浄ケーシング５０に設けている。
【００４３】
洗浄ケーシング５０は、下端部に孔５６を設けて、孔５６には洗浄ケーシング５０内に洗浄液５１を貯排する開閉弁５７を設け、開閉弁５７の下方に排水トレイ５５を配置している。
【００４４】
図９は回転軸２１に垂直な平面（回転軸２１を輪切りにする面）から見て、ケーシング前面板３５を透過した図である。散水ノズル５４は、図９に示すように洗浄ケーシング５０の舌部３７から羽根車１０の回転方向側のスクロール板３４上に配置し、回転軸２１に垂直な平面から見た際の噴射角度を羽根車１０の回転方向とは逆向きかつ、隣り合う２つのブレード間で洗浄液５１を噴射できるようできる向きに設ける。また、図１１に図９のＡ‐Ａ’断面にて回転軸２１と同平面から見た際の散水ノズル５４の水平方向への噴射角度θ６を示している。散水ノズル５４は、隣り合う２つの油捕集機構部３２の間を通り羽根車１０の内部へ噴射した洗浄液５１を着水できるように設けている。
【００４５】
以下、散水ノズル５４の噴射角度について詳細に記述する。
【００４６】
図９に示すように回転軸２１に垂直な平面から見た散水ノズル５４の噴射角度θ４（散水ノズル５４の噴射延長線５８と、噴射延長線５８と羽根車１０外周の交点における接線５９のなす角）は、噴射延長線５８が回転軸２１に重ならない範囲で、図６と図７に示すθ２よりも大きく、θ３よりも小さい範囲をとる。θ４が、この角度範囲をとる場合、散水ノズル５４から噴射した洗浄液５１が第一ブレード１９と第二ブレード２０の間を通過する。
【００４７】
なお、最も多くの洗浄液５１を羽根車１０内部に噴射するためには、前述した図５に示すθ１の角度をとる必要があり、この値をとる時、散水ノズル５４から噴射させた洗浄液５１が第一ブレード１９と第二ブレード２０の間を通過する水量が最大となる。
【００４８】
また、羽根車１０内部に侵入した洗浄液５１が散水ノズル５４から遠い側の油捕集機構部６０や散水ノズル５４から遠い側のブレード内側６１に最も多く着水する角度は、図１０に示したθ５をとる場合である。θ５は接線５９と、散水ノズル５４から遠い側の第一ブレード１９Ａの入口端点６２と第二ブレード２０Ａの出口端点６３を結んだ直線６４がなす角のうち回転側の角度である。θ１およびθ５はθ２からθ３の範囲内である。洗浄に最も効果のある角度は、遠い側の油捕集機構部６０や散水ノズル５４から散水ノズル５４から遠い側の油捕集機構部６０や遠い側のブレード内側６１への着水面積が最も多くなるθ５の場合であると考えられる。
【００４９】
図１１に示すように、回転軸４２を含む平面で見たときに、散水ノズル５４の噴射角度θ６はおおよそ９０度、散水ノズル５４から噴射される洗浄液５１が側面方向から見ると真下に噴射し、リング状の油捕集機構部３２を、互いに一定距離を離して、複数枚取り付けているので、油捕集機能部３２間を通過するようにし、散水ノズル５４から遠い側の油捕集機構部６０や散水ノズル５４から遠い側のブレード内側６１に着水することができる。
【００５０】
なお、散水ノズル５４は、水平または上方へ向けて噴射するものではなく下方へ向けて噴射するものである。このようにすることで、洗浄液５１が散水ノズル５４の噴射口へ残ることを防止できる。
【００５１】
上記構成において、調理で油煙が発生しているときにモータ１３（好ましくはＤＣモータ）を作動させると、羽根車１０が回転し、油煙や埃を含んだ空気が吸込口８から吸い込まれ、本体２内で羽根車１０内を通過する際、油や埃がリング状の油捕集機構部３２に衝突してくっついて捕集され、それらが除去された空気が洗浄ケーシング５０内を通った後、排出口４を介してダクト５を通って屋外に排出される。
【００５２】
これを繰り返すと、油捕集機構部３２、羽根車１０のブレード１５および主板１７に油や埃が蓄積されていく、特に送風機流入口１８から入った油煙が最初に衝突し捕集される油捕集機構部３２とブレード内側２２には多くの汚れが付着し、堆積する。局所的に堆積した汚れは油捕集機構部３２やブレード１５の間で目詰まりを発生させ、排出風量の低下を招くこととなる。そこで、羽根車１０の油捕集機構部３２とブレード１５の洗浄を行うこととなる。さらに作業者の負担軽減のため、この洗浄はより効果的な洗浄として短時間の洗浄時間かつ少量の洗浄液での実現が求められている。
【００５３】
まず、モータ１３を停止させ、開閉弁５７を閉じ、給水ポンプ５３により貯水装置５２に貯めた洗浄液５１を汲み上げ散水ノズル５４に供給する。貯水装置５２内の洗浄液５１は事前に給水しているものとする。その後、モータ１３を作動させながら散水ノズル５４より洗浄液５１を噴射する。従来の散水手段においては洗浄ケーシング５０側からではブレード外側２３のみにしか噴射水が当たらず、羽根車１０の内部までは噴射水の勢いによる洗浄効果は得られないが、本発明の散水ノズル５４ではブレード外側２３に着水する洗浄液５１に加えて、噴射された洗浄液５１の多くが、散水ノズル５４に近い側の油捕集機構部６５と散水ノズル５４に近い側のブレード６６を通過し、勢いを保ったまま直線状に羽根車１０内部を通過する。羽根車１０の内側に侵入した洗浄液５１は散水ノズル５４から遠い側の油捕集機構部６０や散水ノズル５４から遠い側のブレード内側６１に着水する。着水した際、散水ノズル５４からの噴射の圧力を保ったまま衝突し、蓄積した汚れを剥がし落とす。その後着水した洗浄液５１は洗浄ケーシング５０内へと落下し、貯水される。加えて、モータ１３を作動していると、油捕集機構部３２の全周と羽根車１０のブレード１５が洗浄液５１に浸漬され、洗浄される。排水および乾燥は開閉弁５７を開けて洗浄液５１を排水トレイ５５に移動させ、送風することで乾燥させる。
【００５４】
以上一連の洗浄工程により、特に汚れが多く蓄積した油捕集機構部３２およびブレード内側２２を重点的に洗浄することが可能となり、より短時間でかつ少量の洗浄液５１で洗浄が可能で目詰まり発生を防ぐことができる。また、散水ノズル５４は噴射口を下向きにしているため停止時の噴射口への洗浄液５１の残水がなく、スケールによるノズル詰まりを抑制することができる。
【００５５】
本実施の形態はシロッコファンで記述したが、本発明は前述のように他のファンでも適用できる。ターボファンで適用した場合の回転軸２１の垂直平面から見た図を図１２に示す。シロッコファンに比べて舌部３７が捉えにくい場合も有るが、送風機吹出口３３から回転方向側のスクロール板３４上に散水ノズル５４を配置し、散水ノズル５４の噴射角度θ７はある第一ブレード６７から回転方向で隣に配置したブレード１５を第二ブレード６８とすると、前述同様にθ２〜θ３の範囲をとり、最良な角度はθ５の値の時である。回転軸２１と同平面から見た角度も前述したθ６と同様の範囲をとる。プレートファンにおいても回転方向によりシロッコファンもしくはターボファンと同様の形をとる。
【００５６】
なお本実施の形態において、給水ポンプ５３から散水ノズル５４へ給水される洗浄液５１を加熱するヒーター等を散水ノズル５４手前に搭載して洗浄液５１を高温水や過熱スチーム等にして噴射してもよい。温められた洗浄液５１は油汚れを軟化させて油の流動性を向上させる、つまり油汚れの付着力が低下するので洗浄効果がさらに高くなる効果を奏する。
【００５７】
また散水ノズル５４は複数配置させても良く、噴射形状は丸形のみだけでなくホロコーンやスリットなどでも良い、また散水ノズル５４は可動式でより広範囲に洗浄液５１を噴射することができるようにしても良い。貯水装置５２への洗浄液５１の給水は高温であっても良く、界面活性剤やアルカリ塩などの添加剤を加えたものでも良い。また、貯水装置５２への給水は水道から自給式でも良く、添加剤も自動投入されるものでも良い。また、孔５６は洗浄ケーシング５０の下端部に加えて洗浄ケーシング５０内に複数設けても良い。
（実施の形態２）
図１３は、実施の形態１に記述した特徴を持つ散水ノズル５４を複数配置する際に、個数の偏りを図示したものである。通風時、空気の流れ６９は送風機流入口１８から流入後、羽根車１０内部で急激に方向を変えられて油捕集機構部３２やブレード１５を通過する。この急激な方向変換時において油煙は他の空気中成分よりも重量があるので、大きな慣性力を受ける。これにより急激な曲がりには対応できず、より主板１７側の油捕集機構部７０を通過する。つまり汚れは、主板１７側の油捕集機構部６５およびブレード１５も主板１７側により多く堆積する。したがって、本実施の形態は、散水ノズル５４を複数配置する際に、スクロール板３４上でケーシング前面板３５からケーシング背面板３６の間に複数配置する際に、主板１７側に寄るにつれて個数を増やしていくものである。個数の増やし方は、スクロール板３４上で羽根車１０の回転方向へ位置をずらすことで実現できる。
【００５８】
上記構成において散水ノズル５４から洗浄液５１を噴霧しより多く洗浄することが可能となり、ブレード内側２２もより主板１７側を洗浄することが可能となる。つまり、汚れの蓄積が多い箇所の洗浄をより重点的に行え、全体としての洗浄時間の短縮化が可能になる。
【産業上の利用可能性】
【００５９】
本発明にかかるレンジフードは、羽根車の油捕集機構部とブレードの洗浄をより効果的に行い、洗浄時間の短縮および洗浄液の節水を可能にするものであり、同様の機能が付いた換気装置にも適用することができる。
【符号の説明】
【００６０】
１    レンジフード
２    本体
３    壁面
４    排出口
５    ダクト
６    フード部
７    下面
８    吸込口
９    天面
１０    羽根車
１１    送風機
１２    洗浄装置
１３    モータ
１４    ケーシング
１５    ブレード
１６    側板
１７    主板
１８    送風機流入口
１９    第一ブレード
１９Ａ    第一ブレード
２０    第二ブレード
２０Ａ    第二ブレード
２１    回転軸
２２    ブレード内側
２３    ブレード外側
２４    入口端点
２５    出口端点
２６    弦
２７    接線
２８    接線
２９    接線
３０    接線
３１    円錐面
３２    油捕集機構部
３３    送風機吹出口
３４    スクロール板
３５    ケーシング前面板
３６    ケーシング背面板
３７    舌部
３８    延設板
３９    延長板
４０    側面部
４１    オリフィス
４２    回転軸
５０    洗浄ケーシング
５１    洗浄液
５２    貯水装置
５３    給水ポンプ
５４    散水ノズル
５５    排水トレイ
５６    孔
５７    開閉弁
５８    噴射延長線
５９    接線
６０    油捕集機構部
６１    ブレード内側
６２    入口端点
６３    出口端点
６４    直線
６５    油捕集機構部
６６    ブレード
６７    第一ブレード
６８    第二ブレード
６９    空気の流れ
７０    油捕集機構部
１０１    吸込口
１０２    フード
１０３    壁面
１０４    ダクト
１０５    排出口
１０６    回転軸
１０７    電動機
１０８    羽根車
１０９    洗浄ケーシング
１１０    通風路
１１１    整流板
１１２    洗浄液
１１３    貯水装置
１１４    給水ポンプ
１１５    散水ノズル
１１６    孔
１１７    開閉弁
１１８    排水トレイ
１１９    主板
１２０    ブレード
１２１    油捕集機構部
【図１】
2017125622.tif 000003
【図２】
2017125622.tif 000004
【図３】
2017125622.tif 000005
【図４】
2017125622.tif 000006
【図５】
2017125622.tif 000007
【図６】
2017125622.tif 000008
【図７】
2017125622.tif 000009
【図８】
2017125622.tif 000010
【図９】
2017125622.tif 000011
【図１０】
2017125622.tif 000012
【図１１】
2017125622.tif 000013
【図１２】
2017125622.tif 000014
【図１３】
2017125622.tif 000015
【図１４】
2017125622.tif 000016
【図１５】
2017125622.tif 000017
【図１６】
2017125622.tif 000018